【手続補正書】
【提出日】平成17年12月26日(2005.12.26)
【手続補正１】
【補正対象書類名】明細書
【補正対象項目名】特許請求の範囲
【補正方法】変更
【補正の内容】
【特許請求の範囲】
【請求項１】  ガラスぶた（４）によって閉じられるケース（３、３'）内に、エネルギー源（１５）によって動力を与えられる計時回路および／または腕時計ムーブメント（１７）と、時刻がディジタルおよび／またはアナログの形で表示される文字盤（８）と、ダイアリ・データを表示する少なくとも１つの液晶ディスプレイ（５、６）と、所定の数のセンサ（Ｃ１からＣ７まで）であって、各センサの１つの接触感知パッドがガラスぶた（４）の内面または外面に配置され、各センサが、ガラスぶた上でアクティブにされるセンサの感知パッドの決められたゾーン内に置かれるユーザの指（２０）によって活動化されることができる、所定の数のセンサ（Ｃ１からＣ７まで）と、マイクロプロセッサ・ユニット（１４）であって、ユニットに接続されたセンサ（Ｃ１からＣ７まで）によって、異なるメニューまたは保管されたデータを調べるため、またはデータおよび／またはパラメータの入力、修正、または削除を行うために、ダイアリ機能オペレーションを管理するようにプログラムされたマイクロプロセッサ・ユニット（１４）とを含む電子ダイアリ・ウォッチ（１）内で機能を実行する制御方法であって、方法が、第１ダイアリ機能調査モードで
それぞれがこの第１モードの同一の機能を実行することができるセンサのグループ（Ｃ４からＣ７まで）の少なくとも１つのセンサ（Ｃ４、Ｃ５）をアクティブにすることによって、昇順または降順で液晶ディスプレイ（５、６）にダイアリ機能メニューの異なるメニューまたはパラメータまたはデータまたはデータの記録を表示するステップと
確認センサ（Ｃ１）をアクティブにすることによって、調べられるメニューの複数のタイプの中からタイプのメニューまたはデータの記録を選択するステップとの第１の一連のステップを含み、かつ
第２のデータおよび／またはパラメータの入力、修正、または削除モードで、
選択されたメニューの所望の位置で第２モードに入るために、決められた時間の間または決められた圧力を加えることによって確認センサ（Ｃ１）をアクティブにするステップと、
それぞれがこの第２モードで特定の決定された機能の実行を制御するいくつかのセンサ（Ｃ２からＣ７まで）をアクティブにすることによって、データおよび／またはパラメータを入力、修正、または削除するステップと、
確認センサ（Ｃ１）に対するアクションによって、入力、修正、または削除されたパラメータおよび／またはデータを有効にするステップと
の第２の一連のステップを含むことを特徴とする制御方法。
【請求項２】  ダイアリ機能に関する方法の第１および第２の一連のステップを実行するために、３個と１０個との間から選択され、好ましくは７個に等しい、所定の数のセンサが使用されることを特徴とする請求項１に記載の方法。
【請求項３】  第１の一連のステップ中に、第１グループの少なくとも１つのセンサ（Ｃ４、Ｃ５）をアクティブにすることによって、異なるメニューまたはデータまたはデータの記録を昇順で表示し、第２グループの少なくとも１つのセンサ（Ｃ６、Ｃ７）をアクティブにすることによって、異なるメニューまたはデータまたはデータの記録を降順で表示するために、それぞれがセンサの対から形成されるセンサの２つのグループが使用されることを特徴とする請求項１および２のいずれかに記載の方法。
【請求項４】  第１の一連のステップのメニューまたはデータの記録選択ステップの後に、選択されたメニューの保管された記録のデータ・フィールドが、第１グループのセンサの少なくとも１つのセンサ（Ｃ４）をアクティブにすることによって、昇順または降順で調べられ、
第１および第２の一連のステップでメニューを選択するかデータまたはパラメータを有効にするために、感知パッド（Ｃ１）がガラスぶた（４）の中央に配置されている確認センサが使用され、メニューまたはデータまたはデータの記録の調査あるいは方法の第１および第２の一連のステップのデータおよび／またはパラメータの入力、修正、または削除に使用される他のセンサの感知パッド（Ｃ２からＣ７まで）が、単一のセンサが隣接するセンサに影響せずにユーザの指（２０）によってアクティブにされることができるように、また、１つまたは２つの液晶ディスプレイ（５、６）に表示されるメニューまたはデータが、センサがアクティブにされる時に可視になるように、ガラスぶた（４）の周辺で確認センサの感知パッド（Ｃ１）の回りに互いに十分に分離されて分散され、
メモ・メニュー、住所メニュー、ダイアリ・メニュー、送信メニュー、または設定メニューの中からメニューを選択することによって、昇順または降順で選択されたメニューの異なる記録フィールドを調べるための第１および第２のグループのセンサ（Ｃ４からＣ７まで）と異なる第２および第３のセンサ（Ｃ２、Ｃ３）が使用されることを特徴とする請求項１ないし３のいずれかに記載の方法。
【請求項５】  第２の一連のステップで、メモ・メニュー、住所メニュー、またはダイアリ・メニューの間から選択される選択されたメニュー記録のデータ・フィールドは、
アナログ時計の３時および９時の表示の上に配置されるセンサの１つをアクティブにすることによって、昇順または降順で複数の組から文字の組を選択するステップと、
ガラスぶたの周辺でアナログ時計の６時および１２時を示す位置に配置されたセンサの１つをアクティブにすることによって、昇順または降順で、編集されるフィールドのスペースを完成するために、選択された文字の組に応じて英数文字、数字、記号、またはアクセントを通過するステップと、
アナログ時計の３時および９時の表示の下に配置されるセンサの１つをアクティブにすることによって、編集されるフィールドをある方向にまたは他の方向に、検索、修正、または削除される文字のスペースを決めるカーソルを移動させるステップと、
上のステップを繰り返し、確認センサ（Ｃ１）をアクティブにすることによって、保管される編集されたフィールドを有効にするステップとによって編集されるものであり、
また、データ・フィールド編集モードで文字の選択された組での文字検索ステップで、昇順または降順で文字をスクロールする速度が、アナログ時計の６時および１２時を示す位置に配置されたセンサの１つのアクティブ化の持続時間に依存し、決められたアクティブ化持続時間未満で、文字が第１の低い速度でスクロールし、決められたアクティブ化持続時間超で、文字が第２の高い速度でスクロールすることを特徴とする請求項４に記載の方法。
【請求項６】  スタンバイ・モードに置かれている時に、第１の一連のステップを開始する前に、スイッチオン手段（９）がアクティブにされて腕時計ダイアリ機能がオンに切り替えられ、センサおよび液晶ディスプレイが、ダイアリ機能のインアクティブの期間の前か後のいずれかに、動作状態とされ、また、
２つの液晶ディスプレイを有するダイアリ・ウォッチにおいて、第１および第２の一連のステップで、液晶ディスプレイ（５、６）の少なくとも１つの少なくとも１つのポインタ（１２）が、進行中の機能またはオペレーションを示すために、文字盤（８）上で各液晶ディスプレイ（５、６）の周囲の決められた位置に配置されたアイコンのグループの少なくとも１つのアイコンを指定するように見えることを特徴とする請求項１に記載の方法。
【請求項７】  アナログの形で時刻を表示するために腕時計ムーブメントによって駆動される２つの針を有するダイアリ・ウォッチのダイアリ機能がスイッチオン手段（９）によってオンに切り替えられる瞬間に、時刻を示す針が、１つまたは２つの液晶ディスプレイ（５、６）に表示されるデータを隠さないようにし、かつ／またはセンサのオペレーションを妨げないように、決められた位置に移動させられることを特徴とする請求項６に記載の方法。
【請求項８】  コンピュータ・ステーションおよび／または別の電子腕時計との通信のための短距離の高周波信号受信および／または送信手段（２、１８）を有するダイアリ・ウォッチにおいて、コンピュータ・ステーションおよび／または他の腕時計との間の接続が確立された時に、第１の一連のステップで確認センサによって送信メニューが選択されると、編集されたおよび／または保管されたフィールドのすべてが、受信および／または送信手段によって送信されることを特徴とする請求項１に記載の方法。
【請求項９】  ガラスぶた（４）によって閉じられるケース（３、３'）内に、エネルギー源（１５）によって動力を与えられる計時回路および／または腕時計ムーブメント（１７）と、時刻がディジタルおよび／またはアナログの形で表示される文字盤（８）と、ダイアリ・データを１つまたは複数の行に表示する少なくとも１つの液晶ディスプレイ（５、６）と、所定の数のセンサ（Ｃ１からＣ７まで）であって、各センサの１つの接触感知パッドが、ガラスぶた（４）の内面または外面に配置され、各センサが、ガラスぶた上でアクティブにされるセンサの感知パッドの決められたゾーン内に置かれるユーザの指（２０）によって活動化されることができる、所定の数のセンサ（Ｃ１からＣ７まで）と、マイクロプロセッサ・ユニット（１４）であって、そのユニットに接続されたセンサ（Ｃ１からＣ７まで）によって、異なるメニューまたは保管されたデータを調べるため、またはデータおよび／またはパラメータの入力、修正、または削除を行うために、ダイアリ機能オペレーションを管理するようにプログラムされたマイクロプロセッサ・ユニット（１４）とを含む電子ダイアリ・ウォッチ内で機能を実行する制御方法であって、方法が、データおよび／またはパラメータの入力モード、修正モード、または削除モードで、
選択されたメニューの所望に位置でデータおよび／またはパラメータの入力、修正、または削除のモードに入るために、決められた時間の間または決められた圧力を加えることによって確認センサ（Ｃ１）をアクティブにするステップと、
それぞれがこのモードで特定の決定された機能の実行を制御するいくつかのセンサ（Ｃ２からＣ７まで）をアクティブにすることによって、データおよび／またはパラメータを入力、修正、または削除するステップと、
確認センサ（Ｃ１）に対するアクションによって、入力、修正、または削除されたパラメータおよび／またはデータを有効にするステップと
の第１の一連のステップを含む制御方法。
【請求項１０】  スタンバイ・モードに置かれている時に、ダイアリ機能のインアクティブの期間の前および／または後に、スイッチオン手段（９）がアクティブにされ、センサおよび１つまたは２つの液晶ディスプレイがダイアリ機能をオンに切り替えられるステップと、
調査モードで、それぞれがこの調査モードで同一の機能を実行することができるセンサのグループ（Ｃ４からＣ７まで）の少なくとも１つのセンサ（Ｃ４、Ｃ５）をアクティブにすることによって、昇順または降順で少なくとも１つの液晶ディスプレイ（５、６）にダイアリ機能の異なるメニューまたはデータまたはデータの記録を表示するステップと、
確認センサ（Ｃ１）をアクティブにすることによって、調べられるメニューの複数のタイプの中からタイプのメニューまたはデータの記録を選択するステップと、
センサのグループの少なくとも１つのセンサ（Ｃ４）をアクティブにすることによって、昇順または降順で選択されたメニュー・記録の保管されたデータ・フィールドを調べるステップと
の一連の予備ステップを含むことを特徴とする請求項９に記載の方法。
【請求項１１】  メニューまたはデータまたはデータの記録の調査およびデータおよび／またはパラメータの入力、修正、または削除のためにセンサをアクティブにするのを容易にするために、各センサ感知パッドの位置および／または各センサの機能を示すために、腕時計ガラスぶた（４）の内面に配置されるマーク（１１）が使用されることを特徴とする請求項１および９のいずれかに記載の方法。